(57)【要約】【課題】様々な支持態様に用いることができる長尺物品支持具及び展示装置を提供する。【解決手段】長尺な棒状部位を有する長尺物品を支持するための長尺物品支持具１０及び展示装置である。長尺物品支持具１０は、帯状の基材部２０と、基材部２０の上面に、基材部２０の長手方向に長尺物品の棒状部位を挿入可能な間隔をおいて設けられた複数の突起部３０とを備える。基材部２０は、突起部３０毎に分離可能に構成されている。突起部３０は、それぞれ長尺物品の棒状部位を支持可能に構成されている。【選択図】図１
2015150036.tif 000002
【特許請求の範囲】
【請求項１】
長尺な棒状部位を有する長尺物品を支持するための長尺物品支持具であって、
帯状の基材部と、
前記基材部の上面に、前記基材部の長手方向に前記長尺物品の棒状部位を挿入可能な間隔をおいて設けられた複数の突起部と
を備え、
前記基材部は、前記突起部毎に分離可能に構成されており、
前記突起部は、それぞれ前記長尺物品の棒状部位を支持可能に構成されている
ことを特徴とする長尺物品支持具。
【請求項２】
前記突起部は、
前記長尺物品の棒状部位が通過可能な挿入開口部と、
前記挿入開口部に連なって形成され、前記長尺物品の棒状部位を収容可能な収容凹部と
を有する
ことを特徴とする請求項１に記載の長尺物品支持具。
【請求項３】
前記挿入開口部は、前記長尺物品の棒状部位の外径よりも小さい開口幅を有しており、前記長尺物品の棒状部位を挿脱させる際に弾性変形し、該棒状部位の通過を許容するよう構成されている
ことを特徴とする請求項２に記載の長尺物品支持具。
【請求項４】
前記突起部は、前記基材部の長手方向と直交かつ該基材部の上面と平行な方向に離間して設けられた一対の支持片を備え、
前記一対の支持片は、該一対の支持片の間に前記収容凹部が形成され、該一対の支持片の先端部によって前記挿入開口部が形成されるよう構成されている
ことを特徴とする請求項２又は３に記載の長尺物品支持具。
【請求項５】
前記基材部の下面には、該基材部を設置対象物に取り付けるための取付部材が設けられている
ことを特徴とする請求項１〜４いずれか１項に記載の長尺物品支持具。
【請求項６】
前記基材部は、隣接する一の前記突起部と他の前記突起部との間に、他の部位よりも肉薄に形成された肉薄部を有し、該肉薄部で破断することにより前記突起部毎に分離可能に構成されている
ことを特徴とする請求項１〜５いずれか１項に記載の長尺物品支持具。
【請求項７】
請求項１〜６いずれか１項に記載の長尺物品支持具と、
前記長尺物品支持具が取り付けられる展示装置本体と
を備える
ことを特徴とする展示装置。
【発明の詳細な説明】
【技術分野】
【０００１】
本発明は、例えばゴルフクラブや釣竿等の長尺物品を支持するための長尺物品支持具及び展示装置に関するものである。
【背景技術】
【０００２】
従来、ゴルフクラブの販売店に設置される展示装置には、ゴルフクラブを陳列するためのゴルフクラブ陳列具が用いられている（特許文献１）。特許文献１のゴルフクラブ陳列具１００は、図７に示すように、展示装置の水平バー１０２に取り付けられ、ゴルフクラブのシャフト部を支えるシャフト支持部材１１０と、床面に設置され、ゴルフクラブのグリップ部又はヘッド部を規制する陳列補助部材１２０とから構成されている。シャフト支持部材１１０は、長尺状に形成されており、その長辺の一側にシャフト収容部１１２が複数並設されている。陳列補助部材１２０は、長尺状に形成されており、上方に向けて開口する複数の凹部１２２が長手方向に並設されている。このようなゴルフクラブ陳列具１００によれば、複数のゴルフクラブを立てた状態で一列に陳列することが可能である。
【先行技術文献】
【特許文献】
【０００３】
【特許文献１】ＷＯ２０１０／００１６３０
【発明の概要】
【発明が解決しようとする課題】
【０００４】
しかしながら、特許文献１のゴルフクラブ陳列具１００は、複数のゴルフクラブを立てた状態で一列に陳列するための専用器具であり、例えばゴルフクラブを水平に寝かせた状態で陳列する陳列態様や、一のゴルフクラブのみを陳列する陳列態様には適さないものである。このため、従来のゴルフショップでは、ゴルフクラブの陳列態様毎に専用の陳列具を用意する必要があり、コスト及び保管スペースが過大となるという問題がある。
【０００５】
そこで、本発明は、様々な支持態様に用いることができる長尺物品支持具及び展示装置を提供することを目的とする。
【課題を解決するための手段】
【０００６】
上記の目的を達成するため、本発明に係る長尺物品支持具は、長尺な棒状部位を有する長尺物品を支持するための長尺物品支持具であって、帯状の基材部と、前記基材部の上面に、前記基材部の長手方向に前記長尺物品の棒状部位を挿入可能な間隔をおいて設けられた複数の突起部とを備え、前記基材部は、前記突起部毎に分離可能に構成されており、前記突起部は、それぞれ前記長尺物品の棒状部位を支持可能に構成されていることを特徴とする。
【０００７】
本発明に係る長尺物品支持具において、前記突起部は、前記長尺物品の棒状部位が通過可能な挿入開口部と、前記挿入開口部に連なって形成され、前記長尺物品の棒状部位を収容可能な収容凹部とを有することが好ましい。
【０００８】
この場合において、前記挿入開口部は、前記長尺物品の棒状部位の外径よりも小さい開口幅を有しており、前記長尺物品の棒状部位を挿脱させる際に弾性変形し、該棒状部位の通過を許容するよう構成されることが好ましい。
【０００９】
また、前記突起部は、前記基材部の長手方向と直交かつ該基材部の上面と平行な方向に離間して設けられた一対の支持片を備え、前記一対の支持片は、該一対の支持片の間に前記収容凹部が形成され、該一対の支持片の先端部によって前記挿入開口部が形成されるよう構成されることが好ましい。
【００１０】
本発明に係る長尺物品支持具において、前記基材部の下面には、該基材部を設置対象物に取り付けるための取付部材が設けられることが好ましい。
【００１１】
本発明に係る長尺物品支持具において、前記基材部は、隣接する一の前記突起部と他の前記突起部との間に、他の部位よりも肉薄に形成された肉薄部を有し、該肉薄部で破断することにより前記突起部毎に分離可能に構成されることが好ましい。
【００１２】
また、本発明に係る展示装置は、上述した長尺物品支持具と、長尺物品支持具が取り付けられる展示装置本体とを備えることを特徴とする。
【発明の効果】
【００１３】
本発明によれば、様々な支持態様に用いることができる長尺物品支持具及び展示装置を提供することができる。
【図面の簡単な説明】
【００１４】
【図１】本発明の一実施形態に係る長尺物品支持具を斜め上方から見た状態を示す平面斜視図である。
【図２】図２（ａ）は、本実施形態に係る長尺物品支持具を正面側から見た状態を一部省略して示す概略構成図であり、図２（ｂ）は、図２（ａ）の領域Ａを拡大して示す拡大図である。
【図３】本実施形態に係る長尺物品支持具を側面側から見た状態を示す概略構成図である。
【図４】本実施形態に係る長尺物品支持具の第１の使用態様例を示す図である。
【図５】本実施形態に係る長尺物品支持具の第２の使用態様例を示す図である。
【図６】本実施形態に係る長尺物品支持具の第３の使用態様例を示す図である。
【図７】従来のゴルフクラブ陳列具を示す図である。
【発明を実施するための形態】
【００１５】
次に、本発明の一実施形態に係る長尺物品支持具について、図面に基づいて説明する。本実施形態に係る長尺物品支持具１０は、図１〜図３に示すように、帯状の基材部２０と、基材部２０の上面に設けられた複数の突起部３０と、基材部２０を展示装置本体５０等の設置対象物に取り付けるための取付部材４０とを備えている。以下、本実施形態に係る長尺物品支持具１０が対象とする長尺物品としてゴルフクラブ２を例に挙げて説明するが、これに限定されるものではない。また、以下の説明において、長手方向とは、基材部２０の長手方向をいうものとする。
【００１６】
基材部２０は、プラスチック樹脂やゴム等の素材から形成された帯状の板部材である。基材部２０の上面には、ゴルフクラブ２（長尺物品）のグリップ部４ｂ（棒状部位）を挿入可能な間隔をおいて、複数の突起部３０が長手方向に離間して立設されている（図４参照）。具体的には、図２（ａ）に示すように、隣接する突起部３０，３０同士の上端縁間の距離Ｐがゴルフクラブ２のグリップ部４ｂの幅（径）以上の長さとなるように、複数の突起部３０は離間して並設されている。本実施形態に係る長尺物品支持具１０は、このように基材部２０に複数の突起部３０が離間して設けられることにより、隣接する突起部３０，３０間にゴルフクラブ２のグリップ部４ｂを収容して支持するための支持部３１がそれぞれ形成されている。
【００１７】
また、基材部２０は、図１及び図２（ｂ）に示すように、隣接する一の突起部３０と他の突起部３０との間に、２つの直線状の肉薄部２２，２４が形成されている。これら肉薄部２２，２４は、基材部２０の一の長辺から他の長辺に亘って長手方向と直交する方向に溝が掘られることにより基材部２０の他の部位よりも肉薄に形成されており、所定の外力が加えられた際に破断するよう構成されている。本実施形態に係る基材部２０は、このように隣接する突起部３０，３０間に肉薄部２２，２４が形成されることにより、肉薄部２２，２４のいずれか一方を破断することで突起部３０毎に分離可能に構成されている。
【００１８】
突起部３０は、それぞれ、プラスチック樹脂やゴム等の素材からなり、例えば射出成形等により一体成形されることにより、基材部２０と一体として形成されている。各突起部３０は、図３に示すように、ゴルフクラブ２のシャフト部４ａ（棒状部位）が通過可能な挿入開口部３８と、挿入開口部３８に連なって形成され、ゴルフクラブ２のシャフト部４ａを収容可能な収容凹部３６とを有する略Ｕ字状に形成されている（図５参照）。具体的には、各突起部３０は、基材部２０の長手方向と直交かつ基材部２０の上面と平行な方向（図１中では上下方向、図３中では左右方向）に離間して設けられた一対の支持片３２，３４を備えており、これら一対の支持片３２，３４の先端部によって挿入開口部３８が形成され、これら一対の支持片３２，３４の間に収容凹部３６が形成されるよう構成されている。挿入開口部３８は、ゴルフクラブ２のシャフト部４ａの外径よりも小さい開口幅Ｗを有しており、ゴルフクラブ２のシャフト部４ａを挿脱させる際に弾性変形し、シャフト部４ａの通過を許容するよう構成されている。一対の支持片３２，３４は、一方の支持片３２の上端部から一方の支持片３２の基端部及び他方の支持片３４の基端部を経由して他方の支持片３４の上端部に至る面が、ゴルフクラブ２のシャフト部４ａの外径と略等しい内径Ｄを有する曲面状に形成されており、これにより、一対の支持片３２，３４間にゴルフクラブ２のシャフト部４ａの周面に沿った形状の収容凹部３６が形成されるよう構成されている。本実施形態に係る突起部３０は、このように挿入開口部３８及び収容凹部３６を有することにより、挿入開口部３８を介して収容凹部３６に挿入したゴルフクラブ２のシャフト部４ａを一対の支持片３２，３４により狭持し、収容凹部３６内において支持するよう構成されている。
【００１９】
取付部材４０は、例えばマグネット、面ファスナ、両面テープ及び接着剤等の貼着手段や、ビス等の締結手段等、種々のものを用いることができる。この取付部材４０は、基材部２０が突起部３０毎に分離された後においても、各基材部２０を設置対象物に取り付けることができるように基材部２０に設けられている。具体的には、取付部材４０として貼着手段を用いる場合には、突起部３０毎に分離された各基材部２０の下面に取付部材４０の一部が残るように、帯状の基材部２０の下面の略全域に取付部材４０が設けられている。また、取付部材４０として締結手段を用いる場合には、突起部３０毎に分離された各基材部２０にそれぞれ取付部材４０が設けられる。
【００２０】
以上の構成を備える長尺物品支持具１０によれば、例えば図４〜図６に示すように、様々な支持態様を実現することができる。
【００２１】
すなわち、本実施形態に係る長尺物品支持具１０は、帯状の基材部２０と、基材部２０の上面に、基材部２０の長手方向にゴルフクラブ２（長尺物品）のグリップ部４ｂ（棒状部位）を挿入可能な間隔をおいて設けられた複数の突起部３０とを備えている。このため、例えば図４に示すように、水平バー５２を有する展示装置本体５０に本実施形態に係る長尺物品支持具１０を分離させずに取り付けることにより、複数のゴルフクラブ２（例えばパタークラブ等）を立てた状態で一列に支持する支持態様を実現することができる。このような支持態様においては、各支持部３１を構成する突起部３０，３０によってゴルフクラブ２の転倒が防止されるため、安定した状態で複数のゴルフクラブ２を陳列することが可能である。
【００２２】
また、本実施形態に係る長尺物品支持具１０は、基材部２０が突起部３０毎に分離可能に構成されており、各突起部３０がゴルフクラブ２（長尺物品）のシャフト部４ａ（棒状部位）を支持可能に構成されている。このため、例えば図５に示すように、本実施形態に係る長尺物品支持具１０を突起部３０毎に分離させ、この分離させた長尺物品支持具１０´を展示装置本体５０に取り付けられた棚板５４等の種々の設置対象物に取り付けることにより、一のゴルフクラブ２（例えばアイアンクラブやウッドクラブ等）のみを支持する支持態様を実現することができる。特に、本実施形態に係る長尺物品支持具１０では、挿入開口部３８がゴルフクラブ２のシャフト部４ａの外径よりも小さい開口幅Ｗとなるよう形成されているため、収容凹部３６からのゴルフクラブ２の抜け落ちを防止することができ、安定した状態で一のゴルフクラブ２を陳列することが可能である。
【００２３】
さらに、本実施形態に係る長尺物品支持具１０によれば、例えば図６に示すように、展示装置本体５０に取り付けられた左右一対の支持バー５６，５８にそれぞれ分離させた長尺物品支持具１０´を取り付けることにより、種々の長尺物品２´を水平に寝かせた状態で支持する支持態様を実現することができる。このような支持態様においても、収容凹部３６からの長尺物品２´の抜け落ちを防止することができるため、安定した状態で一又は複数の長尺物品２´を水平に寝かせた状態で陳列することが可能である。
【００２４】
また、本実施形態に係る長尺物品支持具１０は、隣接する突起部３０，３０同士の上端縁間の距離Ｐがゴルフクラブ２のグリップ部４ｂの幅（径）以上の長さとなるように構成され、収容凹部３６の内径Ｄがゴルフクラブ２のシャフト部４ａの外径と略等しくなるよう構成されている。すなわち、隣接する突起部３０，３０同士の上端縁間の距離Ｐと、収容凹部３６の内径Ｄとが異なる長さとなるように構成されている。このため、本実施形態に係る長尺物品支持具１０によれば、ゴルフクラブ２のシャフト部４ａ及びグリップ部４ｂのように、長尺物品に径が異なる棒状部位が複数存在する場合であっても、突起部３０，３０間の支持部３１による支持と各突起部３０による支持とを適宜選択することにより、長尺物品を支持することが可能である。
【００２５】
さらに、本実施形態に係る長尺物品支持具１０は、複数の突起部３０の各中間位置にそれぞれ肉薄部２２，２４が形成されているため、設置対象物の形状や陳列範囲等に応じた長さとなるように適宜の肉薄部２２，２４で破断させることにより、帯状の基材部２０の長さ調整を容易に行うことが可能である。
【００２６】
また、本実施形態に係る長尺物品支持具１０は、基材部２０と突起部３０とが射出成形により形成され、基材部２０の肉薄部２２，２４によって破断して分離されるよう構成されているため、構造が簡素であり、製造コストを安価にすることが可能である。
【００２７】
本発明に係る長尺物品支持具及び展示装置は、上述した実施形態に限定されるものではなく、本発明の技術思想を逸脱しない範囲内において種々の改変を行なうことができる。
【００２８】
例えば、上述した実施形態の説明では、長尺物品としてゴルフクラブ２を例に挙げて説明したが、これに限定されるものではなく、本発明に係る長尺物品支持具及び展示装置によれば、例えば釣竿や杖等の種々の長尺物品を支持することが可能である。
【００２９】
また、上述した実施形態の説明では、隣接する突起部３０，３０同士の上端縁間の距離Ｐがゴルフクラブ２のグリップ部４ｂの幅（径）以上の長さとなるように構成され、収容凹部３６の内径Ｄがゴルフクラブ２のシャフト部４ａの外径と略等しくなるよう構成されるものとして説明したが、これに限定されるものではなく、これら隣接する突起部３０，３０同士の上端縁間の距離Ｐ及び収容凹部３６の内径Ｄは、対象とする棒状部位に応じて適宜設定することができる。例えば、隣接する突起部３０，３０同士の上端縁間の距離Ｐは、ゴルフクラブ２のシャフト部４ａの幅（径）以上の長さとなるように構成され、隣接する突起部３０，３０間にシャフト部４ａを収容させて支持可能な構成としても良い。また、収容凹部３６の内径Ｄは、ゴルフクラブ２のグリップ部４ｂの外径と略等しくなるように構成され、各突起部３０においてグリップ部４ｂを収容させて支持可能な構成としても良い。また、隣接する突起部３０，３０同士の上端縁間の距離Ｐと収容凹部３６の内径Ｄとが同じ長さとなるように構成されても良いし、収容凹部３６の内径Ｄが隣接する突起部３０，３０同士の上端縁間の距離Ｐよりも長くなるように構成されても良い。
【００３０】
さらに、上述した実施形態の説明では、基材部２０に肉薄部２２，２４を形成し、肉薄部２２，２４で破断させることにより分離させるものとして説明したが、これに限定されるものではない。例えば、予め突起部毎に分離された複数の基材部を適宜の係合手段により分離可能に連結させることにより、帯状の基材部を構成するものとしても良い。このような係合手段は、例えば突起部毎に分離された基材部のそれぞれに形成される適宜の係合構造であるとしても良いし、例えば複数の基材部を整列させた状態で保持するフレーム等の別部材であるとしても良い。このような改変された長尺物品支持具によれば、複数の突起部が長手方向に並設された帯状の基材部の状態と、突起部毎に分離された基材部の状態とを可逆的に変化させることができる。
【００３１】
またさらに、上述した実施形態の説明では、各突起部３０が挿入開口部３８と収容凹部３６とを有する略Ｕ字状に形成されるものとして説明したが、これに限定されず、対象とする長尺物品の棒状部位を支持可能に構成されていれば、いかなる構成を有していても良い。
【符号の説明】
【００３２】
２，２´  長尺物品、４ａ  シャフト部（棒状部位）、４ｂ  グリップ部（棒状部位）、１０  長尺物品支持具、２０  基材部、３０  突起部、３８  挿入開口部、３６  収容凹部、３２，３４  支持片、４０  取付部材、２２，２４  肉薄部、５０  展示装置本体
【図１】
2015150036.tif 000003
【図２】
2015150036.tif 000004
【図３】
2015150036.tif 000005
【図４】
2015150036.tif 000006
【図５】
2015150036.tif 000007
【図６】
2015150036.tif 000008
【図７】
2015150036.tif 000009